(57)【要約】【課題】土壌から、加熱によって蒸発したＶＯＣを効率的に回収する土壌汚染物質回収構造体を提供する。【解決手段】実施形態の土壌汚染物質回収構造体は、土壌に埋設可能な第１の端部及び大気中に突出可能な第２の端部を備える第１筒体と、前記第１筒体の内側に前記第１筒体の長軸と平行に設けられ、前記第１の端部側に設けられる第３の端部及び前記第２の端部側に設けられる第４の端部を備える第２筒体と、前記第１筒体の土壌に埋設可能な部分に設けられた第１の開口部と、前記第１筒体の大気中に突出可能な部分に設けられ、加熱された気体を発生する熱媒発生器が接続可能な第２の開口部と、前記第４の端部に設けられた第４の開口部と、を有し、前記第３の端部は、前記第１筒体の長軸方向において前記第１の端部と同じ位置又は前記第１の端部から突出した位置に設けられ、前記第３の端部には第３の開口部が設けられる。【選択図】図１
2017136544.tif 000002
【特許請求の範囲】
【請求項１】
土壌に埋設可能な第１の端部、および大気中に突出可能な第２の端部を備える第１筒体と、
前記第１筒体の内側に前記第１筒体の長軸と平行に設けられ、前記第１の端部側に設けられる第３の端部、および前記第２の端部側に設けられる第４の端部を備える第２筒体と、
前記第１筒体の土壌に埋設可能な部分に設けられた第１の開口部と、
前記第１筒体の大気中に突出可能な部分に設けられ、加熱された気体を発生する熱媒発生器が接続可能な第２の開口部と、
前記第４の端部に設けられた第４の開口部と、
を有し、
前記第３の端部は、前記第１筒体の長軸方向において前記第１の端部と同じ位置または前記第１の端部から突出した位置に設けられ、
前記第３の端部には第３の開口部が設けられる土壌汚染物質回収構造体。
【請求項２】
前記第４の開口部は、前記第２筒体内の流体を吸引する吸引器が接続可能である請求項１に記載の土壌汚染物質回収構造体。
【請求項３】
前記第３の開口部に、異物が前記第２筒体内に侵入することを防ぐ異物除去部をさらに有する請求項１または２に記載の土壌汚染物質回収構造体。
【請求項４】
前記第３の開口部に、気体成分と液体成分とを分離する気液分離部をさらに有する請求項１乃至３のいずれか１項に記載の土壌汚染物質回収構造体。
【請求項５】
土壌に埋設可能な第１の端部、および大気中に突出可能な第２の端部を備える第１筒体と、
前記第１筒体の内側に前記第１筒体の長軸と平行に設けられ、前記第１の端部側に設けられる第３の端部、および前記第２の端部側に設けられる第４の端部を備える第２筒体と、
前記第１筒体の土壌に埋設可能な部分に設けられた第１の開口部と、
前記第１筒体の大気中に突出可能な部分に設けられた第２の開口部と、
前記第４の端部に設けられ、加熱された気体を発生する熱媒発生器が接続可能な第４の開口部と、
を有し、
前記第３の端部は、前記第１筒体の長軸方向において前記第１の端部と同じ位置または前記第１の端部から突出した位置に設けられ、
前記第３の端部には第３の開口部が設けられる土壌汚染物質回収構造体。
【請求項６】
土壌に埋設可能な第１の端部、および大気中に突出可能な第２の端部を備える第１筒体と、
前記第１筒体内の空間を長軸方向に水平に分割する少なくとも1つの仕切り部と、
前記仕切り板と前記第１筒体の内面で構成された第１の空間と、
前記仕切り板と前記第１筒体の内面で構成された前記第１の空間と異なる第２の空間と、
前記第１の空間を構成する前記第１筒体の壁面のうち土壌に埋設可能な部分に設けられた第１の開口部と、
前記第２の空間を構成する前記第１筒体の壁面のうち土壌に埋設可能な部分に設けられた第２の開口部と、
前記第２の端部に設けられ、前記第２の空間に開口する第４の開口部と、
前記第１の空間に開口し、加熱された気体を発生する熱媒発生器が接続可能な第３の開口部と
を有する土壌汚染物質回収構造体。
【請求項７】
土壌に埋設可能な第１の端部、および大気中に突出可能な第２の端部を備える第１筒体と、
前記第１筒体の内側に前記第１筒体の長軸と平行に設けられ、前記第１の端部側に設けられる第３の端部、および前記第２の端部側に設けられる第４の端部を備える第２筒体と、
前記第１筒体の土壌に埋設可能な部分に設けられた第１の開口部と、
前記第１筒体の大気中に突出可能な部分に設けられ、加熱された気体を発生する熱媒発生器が接続された第２の開口部と、
第４の端部に設けられた第４の開口部と、を有し、
前記第３の端部は、前記第１筒体の長軸方向において前記第１の端部と同じ位置または前記第１の端部から突出した位置に設けられ、前記第３の端部には第３の開口部が設けられる土壌汚染物質回収構造体と、
前記第２の開口部に接続された前記熱媒発生器と、
を有する土壌汚染物質回収装置。
【請求項８】
前記第４の開口部に接続され、前記第２筒体内の流体を吸引する吸引器をさらに有する請求項７に記載の土壌汚染物質回収装置。
【請求項９】
前記第４の開口部と前記吸引器との間に設けられ、揮発性有機化合物の気体成分を分解する分解器をさらに有する請求項８に記載の土壌汚染物質回収装置。
【請求項１０】
前記第２筒体の内部に設けられ液体を吸引する液体吸引部と、
前記第４の開口部に接続されて前記液体中に含有される液体状の揮発性有機化合物を蒸発させ気体状の揮発性有機化合物とする蒸発器とをさらに有する請求項７に記載の土壌汚染物質回収装置。
【請求項１１】
土壌に埋設可能な第１の端部、および大気中に突出可能な第２の端部を備える第１筒体と、
前記第１筒体の内側に前記第１筒体の長軸と平行に設けられ、前記第１の端部側に設けられる第３の端部、および前記第２の端部側に設けられる第４の端部を備える第２筒体と、
前記第１筒体の土壌に埋設可能な部分に設けられた第１の開口部と、
前記第１筒体の大気中に突出可能な部分に設けられた第２の開口部と、
前記第４の端部に設けられ、加熱された気体を発生する熱媒発生器が接続された第４の開口部と、を有し、
前記第３の端部は、前記第１筒体の長軸方向において前記第１の端部と同じ位置または前記第１の端部から突出した位置に設けられ、前記第３の端部には第３の開口部が設けられる土壌汚染物質回収構造体と、
前記第４の開口部に接続された前記熱媒発生器と、
を有する土壌汚染物質回収装置。
【発明の詳細な説明】
【技術分野】
【０００１】
本発明の実施形態は、土壌汚染物質回収構造体および土壌汚染物質回収装置に関する。
【背景技術】
【０００２】
長年、工場用地として使用された土地には、揮発性有機化合物（以下、ＶＯＣという）が基準値より多く含まれていることがある。ＶＯＣは、土壌汚染対策法で規定されている第１種特定有害物質に指定されており、土壌に含まれることに起因して人の健康に被害を生ずるおそれがある有害物質である。
【０００３】
一般に、ＶＯＣは、水に溶けにくく、粘性が小さく、比重が水よりも重いことから、地中深くまで浸透する性質を有する。そして、上記のようにＶＯＣは有害物質であることから、土壌に浸透したＶＯＣは土壌を汚染する。近年では、工場移転に伴って工場跡地を再開発することが多くなっており、工場跡地におけるＶＯＣによって汚染された土壌を浄化する技術が幅広く研究されている。
【０００４】
たとえば、土壌に含まれるＶＯＣを蒸発除去することができる加熱処理というものがある。この加熱処理は、加熱した土壌から蒸発されるＶＯＣを所定の装置で吸着や加熱分解することが可能である。
【先行技術文献】
【特許文献】
【０００５】
【特許文献１】特許第３６５８９３６号
【発明の概要】
【発明が解決しようとする課題】
【０００６】
上記した従来の加熱処理では、例えば、特許文献１に記載されている方法がある。特許文献１では、少なくとも２本の筒体をそれぞれ離して土壌に挿入し、一方の筒体に熱媒を導入して汚染された土壌を加熱し、土壌中で加熱および蒸発したＶＯＣを他方の筒体によって土壌から回収する。この方法では、少なくとも２本の筒体を土壌に挿入する必要がある。そして、土壌に挿入する筒体の本数と同じ数だけ、土壌の掘削といった土壌に筒体を挿入するための作業が必要になる。そのため、筒体の数が多いほど土壌浄化処理能力は向上する一方、筒体の本数に応じて、筒体を土壌に挿入するための作業時間やコストが増加する。
【０００７】
本発明が解決しようとする課題は、ＶＯＣで汚染された土壌から、加熱によって蒸発したＶＯＣを効率的に回収することができる土壌汚染物質回収構造体および土壌汚染物質回収装置を提供することである。
【課題を解決するための手段】
【０００８】
実施の形態の土壌汚染物質回収構造体は、土壌に埋設可能な第１の端部、および大気中に突出可能な第２の端部を備える第１筒体と、前記第１筒体の内側に前記第１筒体の長軸と平行に設けられ、前記第１の端部側に設けられる第３の端部、および前記第２の端部側に設けられる第４の端部を備える第２筒体と、を有する。さらに、実施の形態の土壌汚染物質回収構造体は、前記第１筒体の土壌に埋設可能な部分に設けられた第１の開口部と、前記第１筒体の大気中に突出可能な部分に設けられ、加熱された気体を発生する熱媒発生器が接続可能な第２の開口部と、前記第４の端部に設けられた第４の開口部とを有し、前記第３の端部は、前記第１筒体の長軸方向において前記第１の端部と同じ位置または前記第１の端部から突出した位置に設けられ、前記第３の端部には第３の開口部が設けられる。
【発明の効果】
【０００９】
ＶＯＣで汚染された土壌から、加熱によって蒸発したＶＯＣを効率的に回収することができる土壌汚染物質回収構造体および土壌汚染物質回収装置を提供することができる。
【図面の簡単な説明】
【００１０】
【図１】第１の実施の形態の土壌汚染物質回収装置を模式的に示す概念図である。
【図２】第１の実施の形態の土壌汚染物質回収構造体を模式的に示す上方斜視図である。
【図３】第１の実施の形態の土壌汚染物質回収構造体を模式的に示す下方斜視図である。
【図４】第１の実施の形態の土壌汚染物質回収構造体を模式的に示す底面図である。
【図５】トリクロロエチレンの蒸気圧の温度依存性を示したグラフである。
【図６】異物除去部を具備する土壌汚染物質回収構造体を模式的に示す上方斜視図である。
【図７】気液分離部を具備する土壌汚染物質回収構造体を模式的に示す上方斜視図である。
【図８】第１の実施の形態の土壌汚染物質回収構造体の変形例を模式的に示す下方斜視図である。
【図９】第２の実施の形態の土壌汚染物質回収構造体を模式的に示す上方斜視図である。
【図１０】第２の実施の形態の土壌汚染物質回収構造体を模式的に示す底面図である。
【図１１】異物除去部を具備する土壌汚染物質回収構造体を模式的に示す上方斜視図である。
【図１２】気液分離部を具備する土壌汚染物質回収構造体を模式的に示す上方斜視図である。
【図１３】第３の実施の形態の土壌汚染物質回収構造体を模式的に示す上方斜視図である。
【図１４】第４の実施の形態の土壌汚染物質回収構造体を模式的に示す上方斜視図である。
【図１５】第５の実施の形態の土壌汚染物質回収装置を模式的に示す概念図である。
【図１６】加熱分解器を模式的に示す概略図である。
【図１７】第６の実施の形態の土壌汚染物質回収装置を模式的に示す概念図である。
【発明を実施するための形態】
【００１１】
以下、実施の形態について図面を参照して説明する。
【００１２】
（第１の実施の形態）
図１は、第１の実施の形態の土壌汚染物質回収装置５００を模式的に示す概念図である。
【００１３】
土壌汚染物質回収装置５００は、ＶＯＣで汚染された土壌５２０の中に存在するＶＯＣを回収して、土壌５２０を浄化する。図１に示すように、土壌汚染物質回収装置５００は、土壌に挿入される土壌汚染物質回収構造体１と、ＶＯＣを土壌５２０中で蒸発させる熱媒を土壌汚染物質回収構造体１を介して土壌５２０に供給する熱媒発生器５５０を有する。
【００１４】
まず、土壌汚染物質回収構造体１について説明する。図２は、第１の実施の形態の土壌汚染物質回収構造体１を模式的に示す上方斜視図であり、図３は、土壌汚染物質回収構造体１を模式的に示す下方斜視図であり、図４は、土壌汚染物質回収構造体１を模式的に示す底面図である。土壌汚染物質回収構造体１は、ＶＯＣで汚染された土壌の中に存在するＶＯＣを回収する。この土壌汚染物質回収構造体１は、筒状である第１筒体２および第２筒体３を具備するいわゆる二重筒構造である。第２筒体３は、第１筒体２の長軸（以下、軸ともいう）方向に沿って設けられ、第１筒体２の内側に設けられている。例えば、第１筒体２の軸方向と第２筒体３の軸方向は同じである。
【００１５】
ここで、第１筒体２の内壁と第２筒体３の外壁との間の空間を第１流路６と呼称し、第２筒体３の内部の空間を第２流路９と呼称する。第１流路６の第１筒体２の軸方向に垂直な断面は、環状である。
【００１６】
土壌汚染物質回収構造体１が土壌に挿入され鉛直方向に設置される。このとき、土壌汚染物質回収構造体１の一方の端部は土壌中に埋没し、土壌汚染物質回収構造体１の他方の端部は地上に露出している。土壌中に埋没している一方の端部を土壌汚染物質回収構造体１の下端部といい、地上に露出している他方の端部を土壌汚染物質回収構造体１の上端部という。
【００１７】
第１筒体２は、土壌に埋設可能な第１の端部、および大気中に突出可能な第２の端部を備える。第１の端部は、第１筒体２の下端側の端部である。第２の端部は、第１筒体２の上端側の端部である。また、第２筒体３は、第１筒体２の内側に設けられる。第１筒体２の軸方向と第２筒体３の軸方向とは平行である。第２筒体３は、第１筒体２の第１の端部側に設けられる第３の端部、および第１筒体２の第２の端部側に設けられる第４の端部を備える。なお、第３の端部は、第２筒体３の下端側の端部である。第４の端部は、第２筒体３の上端側の端部である。また、第１筒体２の軸方向に垂直な第１筒体２内の空間の断面積は、第２筒体３の軸方向に垂直な第２筒体３内の空間の断面積よりも大きい。
【００１８】
図２に示すように、第２の端部に設けられた第１流路６の開口部を導入口４と呼称する。導入口４は、大気中に突出可能な第１筒体２の部分に、加熱された気体を発生する熱媒発生器５５０に接続可能に設けられ、第１筒体２の内部から外部に貫通している。導入口４には熱媒発生器５５０が接続され、汚染された土壌の中に存在するＶＯＣを土壌中で蒸発させる熱媒は、導入口４から第１流路６内に導入される。
【００１９】
また、図２に示すように、第１筒体２のうち土壌５２０に埋没される部分の側面には、第１流路６の開口部である放出口５が設けられている。放出口５は、第１筒体２の内部から外部に貫通している。放出口５は、土壌に埋設可能な第１筒体２の部分に設けられ、第１筒体２の内部から外部に通じている。導入口４から導入され第１流路６内を流れてきた熱媒は、放出口５から土壌５２０に放出される。
【００２０】
上述したように、導入口４は、第１筒体２の上端側の開放端であり、第１筒体２の上端側の内周面と第２筒体３の上端側の外周面との間に形成される。第１筒体２の上端上方から見た導入口４は、環状である。ここでは、第１筒体２の上端が開放端である一例を示すが、少なくとも１つの開口を有する蓋部（図示しない）が第１筒体２の上端側の開放端に設けられてもよい。この場合、導入口４は、不図示の蓋部に形成される少なくとも１つの開口である。
【００２１】
また、図２および図３に示すように、放出口５は、第１筒体２の下端側の側面に形成される。ここでは、放出口５が第１筒体２の下端側の側面全周に亘って複数段設けられている一例を示すが、放出口５は１段でもよく、側面の一部に設けられてもよい。
【００２２】
また、第１筒体２の下端が閉鎖端である一例を示すが、少なくとも１つの開口（図示しない）が第１筒体２の底面に設けられてもよく、第１筒体２の下端が開放端（図示しない）であってもよい。少なくとも１つの不図示の開口が第１筒体２の底面に設けられる場合、不図示の開口も放出口５を構成する。また、第１筒体２の下端が不図示の開放端である場合、不図示の開放端も放出口５を構成し、第１筒体２の内周面と第２筒体３の外周面との間に形成される。第１筒体２の下端より下方から見た不図示の開放端の断面は、環状である。
【００２３】
図２に示すように、第１流路６は、第１筒体２の軸方向に沿って設けられる。第１筒体２の軸方向に垂直な第１流路６の断面は、環状である。第１流路６は、導入口４を介して土壌汚染物質回収構造体１の外部から導入される熱媒を矢印Ａ１のように第１筒体２の下端側に流通させる。そして、第１流路６内を第１筒体２の下端側に流通した熱媒は、放出口５を介して土壌汚染物質回収構造体１の外部に放出される。
【００２４】
第２筒体３の第３の端部であり放出口５よりも下方の位置には、第２流路９の開口部である回収口７が設けられている。回収口７は、第２筒体３の内部から外部に貫通している。土壌５２０中で蒸発したＶＯＣは回収口７から第２流路９内に流入する。たとえば図３および図４に示すように、回収口７は、第２筒体３の底面１０に形成される。ここでは、第２筒体３の下端が回収口７を備えた閉鎖端である一例を示すが、第２筒体３の下端を開放端（図示しない）とし、この開放端を回収口７としてもよい。
【００２５】
なお、回収口７が放出口５よりも下方に設けられていることで、放出口５から放出された熱媒は必ず土壌を通過した後に回収口７で回収されることとなる。図３に示すように、第２筒体３の最下端は第１筒体２の軸方向に対して第１筒体２の最下端と同じ位置であるが、回収口７を放出口５よりもより下方に設けるために、第２筒体３の最下端は第１筒体２の最下端から下方に突出するように設けられてもよい。
【００２６】
また、第２筒体３の上端の開口部を排出口８と呼称する。排出口８は、第２筒体３の内部から外部に通じ、流体を吸引する吸引器５５１に接続可能に設けられる。回収口７から第２流路９内に流入したＶＯＣは排出口８から地上に排出される。図２に示すように、排出口８は、第２筒体３の上端側の開放端、言い換えると、第２筒体３の上端内周部である。第２筒体３の上端より上方から見た排出口８は、円状である。ここでは、第２筒体３の上端が開放端である一例を示すが、少なくとも１つの開口を有する蓋部（図示しない）が第２筒体３の上端側の開放端に設けられてもよい。この場合、排出口８は、不図示の蓋部に形成される少なくとも１つの開口である。
【００２７】
図２に示すように、第２流路９は、第２筒体３の軸方向に沿って設けられる。第２筒体３の軸方向に垂直な第２流路９の断面は、円状である。第２流路９は、回収口７を介して土壌汚染物質回収構造体１の外部から回収されるＶＯＣを矢印Ａ２のように第２筒体３の上端側に流通させる。そして、第２流路９内を第２筒体３の上端側に流通したＶＯＣは、排出口８を介して土壌汚染物質回収構造体１の外部に排出される。
【００２８】
なお、第１筒体２および第２筒体３を構成する材料は、特には限定されず、水蒸気やＶＯＣで劣化しない材料が用いられる。
【００２９】
次に、熱媒発生器５５０について説明する。熱媒発生器５５０は、土壌５２０中でＶＯＣを蒸発させるための熱媒を生成するものであり、加熱された気体を発生する。熱媒は、土壌５２０中でＶＯＣを蒸発させることが可能なものであれば特に限定されないが、たとえば加熱された大気や水蒸気であるものとする。図１および図２に示すように、熱媒発生器５５０によって生成された熱媒は、土壌汚染物質回収構造体１の導入口４から第１流路６に導入される。第１流路６に導入された熱媒は、矢印Ａ１のように第１筒体２の下端側に向かって流通する。第１筒体２の下端に到達した熱媒は、放出口５から土壌汚染物質回収構造体１の外部に放出される。
【００３０】
土壌汚染物質回収構造体１の内部から土壌５２０に放出した熱媒は、土壌５２０に含まれるＶＯＣを蒸発可能な温度である。そして、土壌汚染物質回収構造体１の下端側から矢印Ａ５０３のように放出した熱媒は、土壌５２０中に存在するＶＯＣを蒸発させる。そして、熱媒によって蒸発した土壌５２０中のＶＯＣは、矢印Ａ５０４のように土壌汚染物質回収構造体１の回収口７から回収される。
【００３１】
次に、土壌から回収されるＶＯＣについて説明する。土壌汚染物質回収構造体１によって土壌から回収されるＶＯＣは、トリクロロエチレンやテトラクロロエチレンなどの一般的な揮発性有機化合物である。ＶＯＣは、一般的に常温で蒸発されやすく、加熱によりさらに蒸発量が増加する。図５は、トリクロロエチレンの蒸気圧の温度依存性を示したグラフである。例えば、地下温度１５℃程度におけるトリクロロエチレンの蒸気圧は、１気圧よりも低い。トリクロロエチレンが９０℃程度に加熱されると、トリクロロエチレンの蒸気圧は１気圧よりも高くなるため、トリクロロエチレンの蒸発量が大幅に増加することがわかる。
【００３２】
第１流路６を矢印Ａ１のように流れる熱媒は、例えば加熱された大気や水蒸気などが挙げられる。また、放出口５から土壌に放出される熱媒の温度は、好ましくは８７℃以上である。放出口５から土壌に放出される熱媒の温度が８７℃以上であると、土壌の温度がトリクロロエチレンの沸点よりも高くなるため、トリクロロエチレンの蒸発量が増加し、回収口７に回収されるトリクロロエチレンの量が増加する。放出口５から土壌に放出されるときの熱媒の温度の上昇と共に、ＶＯＣを回収できるエリアは拡大する。また、導入口４から導入される熱媒の温度は、放出口５から放出される熱媒の温度に応じて、適宜調整される。
【００３３】
第２流路９を矢印Ａ２のように流れるＶＯＣは、液体、気体、液体および気体の混合系である。また、これらのいずれかの状態にあるＶＯＣは、空気、水蒸気、水などのようなＶＯＣ以外の流体と共に第２流路９を流通してもよい。
【００３４】
次に、土壌汚染物質回収構造体１によるＶＯＣ回収の流れについて説明する。図２に示すように、土壌汚染物質回収構造体１の導入口４から導入される熱媒は、第１流路６内を矢印Ａ１のように第１筒体２の下端側に向かって流通する。第１筒体２の下端に到達した熱媒は、放出口５から土壌汚染物質回収構造体１の外部に放出される。
【００３５】
土壌汚染物質回収構造体１の外部、言い換えると土壌中に放出した熱媒は、土壌に含まれるＶＯＣを蒸発可能な温度であるため、土壌中に存在するＶＯＣを蒸発させる。そして、熱媒によって蒸発した土壌中のＶＯＣは、土壌汚染物質回収構造体１の回収口７から回収される。
【００３６】
回収口７を介して土壌汚染物質回収構造体１の外部から第２流路９内に回収されたＶＯＣは、第２流路９内を矢印Ａ２のように第２筒体３の上端側に向かって流通する。第２筒体３の上端に到達したＶＯＣは、排出口８から土壌汚染物質回収構造体１の外部に放出される。土壌汚染物質回収構造体１は、導入口４から導入される熱媒を矢印Ａ１のように第１流路６の下端側に流通させると共に、第１流路６を流れる熱媒と区分して、回収口７から回収されるＶＯＣを矢印Ａ２のように第２流路９の上端側に流通する。このようにして、土壌汚染物質回収構造体１は、土壌に含まれるＶＯＣを回収する。
【００３７】
また、放出口５から放出する熱媒は、土壌中の水分も蒸発させる。そして、放出口５からの熱媒の放出量や放出時間に伴い、放出口５および回収口７を含む土壌汚染物質回収構造体１の周辺に存在する土壌中のＶＯＣや水の蒸発量が増加し、土壌汚染物質回収構造体１の周辺の土壌は多孔質化する。多孔質化した土壌の通気抵抗は減少するため、ＶＯＣの回収効率はさらに増加する。さらには、土壌の通気抵抗の減少によって、ＶＯＣを蒸発可能な温度の熱媒が土壌汚染物質回収構造体１の遠方に拡散できるため、ＶＯＣを回収できるエリアはさらに拡大する。
【００３８】
ここで、第１の実施形態の土壌汚染物質回収構造体および土壌汚染物質回収装置の変形例について説明する。
【００３９】
たとえば、土壌汚染物質回収構造体１は、回収口７から回収される流体から異物を除去する異物除去部１１をさらに具備してもよい。異物としては、例えば、土、砂、砂利、石などが挙げられる。図６は、異物除去部１１を具備する土壌汚染物質回収構造体１を模式的に示す上方斜視図である。例えば、異物除去部１１は、土壌汚染物質回収構造体１の回収口７の入口に設けられるメッシュフィルターである。異物除去部１１は、回収口７から第２流路９内への異物の侵入を防ぎ、第２流路９内への異物の混入を抑制する。
【００４０】
異物除去部１１は、メッシュフィルターの他、多孔質体などから構成されてもよい。異物除去部１１の細孔径は、上記した異物の種類に応じて適宜選択される。また、異物除去部１１は少なくとも回収口７全体を覆うものであればよく、図６に示すように、第１筒体２の下端を全て覆う構造であってもよい。
【００４１】
また、土壌汚染物質回収構造体１は、回収口７から回収されるＶＯＣやＶＯＣ以外の流体などの気体成分と液体成分とを分離する気液分離部１２をさらに具備してもよい。図７は、気液分離部１２を具備する土壌汚染物質回収構造体１を模式的に示す上方斜視図である。図７に示すように、気液分離部１２は、土壌汚染物質回収構造体１の回収口７の近傍に設けられる。気液分離部１２は、回収口７から回収される流体を液体成分と気体成分とに分離し、気体成分を第２流路９内に流通させる。
【００４２】
気液分離部１２は、例えば、気体と液体とを分離するために一般的に用いられる気液分離膜や気液分離器などから構成される。また、気液分離部１２は少なくとも回収口７全体を覆うものであればよく、図７に示すように、第１筒体２の下端を全て覆う構造であってもよい。
【００４３】
また、土壌汚染物質回収構造体１は、異物除去部１１と共に気液分離部１２を具備してもよい。土壌汚染物質回収構造体１が異物除去部１１と気液分離部１２とを具備する場合、第２筒体３の下端部に異物除去部１１を設けて異物除去部１１の下端部に気液分離部１２を設けてもよいし、第２筒体３の下端部に気液分離部１２を設けて気液分離部１２の下端部に異物除去部１１を設けてもよいし、異物除去部１１と気液分離部１２とを一体にしたものを第２筒体３の下端部に設けてもよい。
【００４４】
また、図８は、第１の実施の形態の土壌汚染物質回収構造体の変形例を模式的に示す下方斜視図である。土壌汚染物質回収構造体１は、図８に示すように、第２筒体３の下端は第１筒体２の下端よりも下側に突出して設けられてもよい。第２筒体３の下端が第１筒体２の下端よりも突出することで、放出口５と回収口７の距離が長くなり、その分熱媒が土壌中を通過する距離が長くなり、より広範囲の土壌中のＶＯＣを蒸発させることが可能となる。
【００４５】
また、土壌汚染物質回収装置５００は、排出口８から排出されるＶＯＣを吸引する吸引器５５１をさらに具備してもよい。吸引器５５１は、気体状のＶＯＣを吸引するものである。吸引器５５１は排出口８に接続される。
【００４６】
図１および図２に示すように、吸引器５５１は、排出口８から土壌汚染物質回収構造体１の外部に放出されるＶＯＣを吸引する。第２流路９内の気体は熱媒により加熱されているため、吸引器５５１がなくとも矢印Ａ２のように流れるが、吸引器５５１があることで、矢印Ａ２方向のＶＯＣの流通が促進される。そして、回収口７から第２流路９に流入する気体量は増加する。さらに、土壌中の気圧が下がるため、放出口５から土壌への熱媒の放出、および第１流路６内の熱媒の流通も促進される。
【００４７】
また、土壌汚染物質回収装置５００は、土壌汚染物質回収構造体１の排出口８から排出されるＶＯＣの気体成分を吸着する吸着器５５２をさらに具備してもよい。吸着器５５２は、土壌汚染物質回収構造体１と吸引器５５１との間に設けられ、ＶＯＣを選択的に吸着する活性炭などの吸着物質を具備する。吸着器５５２は、排出口８から排出される流体に含まれるＶＯＣを選択的に吸着し、排出口８から排出される流体からＶＯＣを選択的に除去する。また、吸着物質の定期的な交換によって、吸着器５５２の吸着性能は維持される。
【００４８】
また、土壌汚染物質回収装置５００は、吸着器５５２に換えて、土壌汚染物質回収構造体１の排出口８から排出されるＶＯＣの気体成分を分解する分解器（図示しない）を具備してもよい。不図示の分解器は、土壌汚染物質回収構造体１と吸引器５５１との間に設けられ、ＶＯＣを選択的に分解する構成を具備する。この分解器は、排出口８から排出される流体に含まれるＶＯＣを選択的に分解し、排出口８から排出される流体からＶＯＣを選択的に除去する。
【００４９】
以下、第１の実施形態およびその変形例に共通する効果について記載する。上記したように、第１の実施の形態によれば、土壌汚染物質回収構造体１をいわゆる二重筒構造にしたことによって、ＶＯＣを蒸発させるための熱媒の供給と、蒸発したＶＯＣの回収とを土壌汚染物質回収構造体１内で行うことが可能である。そのため、土壌加熱用の筒体とＶＯＣ回収用の筒体とをそれぞれ離間した位置の土壌に挿入することが不要である。土壌汚染物質回収構造体１および土壌汚染物質回収装置を設置する際の作業量と作業時間が短縮され、よって土壌汚染物質回収装置の設置からＶＯＣ除去、土壌汚染物質回収装置の回収にいたるまでの作業効率が高くなるという効果がある。
【００５０】
さらに、第１の実施の形態によれば、熱媒を第１流路６内の下端側に流通させて放出口５から放出しながら、熱媒と区分して、ＶＯＣを回収口７から回収して第２流路９内の上端側に流通させることができる。そのため、土壌汚染物質回収構造体１は、ＶＯＣの蒸発と回収とを同時に実施することができ、ＶＯＣの回収時間を減少させることができる。
【００５１】
（第２の実施の形態）
図９は、第２の実施の形態の土壌汚染物質回収構造体１００を模式的に示す上方斜視図であり、図１０は、土壌汚染物質回収構造体１００を模式的に示す底面図である。なお、以下に示す実施の形態において、第１の実施の形態の土壌汚染物質回収構造体１の構成と同一の構成部分には同一の符号を付して、重複する説明を省略または簡略する。
【００５２】
第２の実施の形態の土壌汚染物質回収構造体１００において、第１筒体１０２および第２筒体１０３の構成が異なる以外は、第１の実施の形態の土壌汚染物質回収構造体１の構成と基本的に同じである。そのため、ここでは、その異なる構成について主に説明する。
【００５３】
第２の実施の形態の土壌汚染物質回収構造体１００は、筒状である第１筒体１０２および第２筒体１０３を具備するいわゆる二重筒構造である。第１筒体１０２は、第２筒体１０３の軸方向に沿って設けられ、第２筒体１０３の内側に設けられている。
【００５４】
第１筒体１０２は、図９に示すように、第１筒体１０２の上端側に設けられ、汚染された土壌の中に存在するＶＯＣを土壌中で蒸発させる熱媒を導入する導入口１０４を有する。また、第１筒体１０２は、図１０に示すように、第１筒体１０２の下端側に設けられ、導入口１０４から導入される熱媒を土壌に放出する放出口１０５を有する。また、第１筒体１０２は、図９に示すように、上端側に設けられた導入口１０４と下端側に設けられた放出口１０５とを連結する第１流路１０６を有する。
【００５５】
図９に示すように、導入口１０４は、第１筒体１０２の上端側の開放端、言い換えると、第１筒体１０２の上端内周部である。第１筒体１０２の軸方向に垂直な導入口１０４の断面は、円状である。ここでは、第１筒体１０２の上端が開放端である一例を示すが、少なくとも１つの開口を有する蓋部（図示しない）が第１筒体１０２の上端側の開放端に設けられてもよい。この場合、導入口１０４は、不図示の蓋部に形成される少なくとも１つの開口である。
【００５６】
図１０に示すように、放出口１０５は、第１筒体１０２の底面１１０に形成される。ここでは、第１筒体１０２の下端が放出口１０５を備えた閉鎖端である一例を示すが、第１筒体１０２の下端が開放端（図示しない）であってもよい。この場合、放出口１０５は、第１筒体１０２の下端側にある不図示の開放端である。
【００５７】
図９に示すように、第１流路１０６は、第１筒体１０２の軸方向に沿って設けられる。第１筒体１０２の軸方向に垂直な第１流路１０６の断面は、円状である。第１流路１０６は、導入口１０４を介して土壌汚染物質回収構造体１の外部から導入される熱媒を矢印Ａ１０１のように第１筒体１０２の下端側に流通させる。そして、第１流路１０６内を第１筒体１０２の下端側に流通した熱媒は、放出口１０５を介して土壌汚染物質回収構造体１００の外部に放出される。
【００５８】
第２筒体１０３は、図９に示すように、第２筒体１０３の下端側に設けられ、第１筒体１０２に具備された放出口１０５から放出される熱媒によって土壌中で蒸発するＶＯＣを回収する回収口１０７を有する。また、第２筒体１０３は、第２筒体１０３の上端側に設けられ、回収口１０７から回収されるＶＯＣを地上に排出する排出口１０８を有する。また、第２筒体１０３は、下端側に設けられた回収口１０７と上端側に設けられた排出口１０８とを連結する第２流路１０９を有する。
【００５９】
図９に示すように、回収口１０７は、第２筒体１０３の下端側の側面に形成される。放出口１０５は、回収口１０７よりも下端側に形成されている。ここでは、回収口１０７が第２筒体１０３の下端側の側面全周に亘って複数段設けられている一例を示すが、回収口１０７は１段でもよく、側面の一部に設けられてもよい。
【００６０】
また、第２筒体１０３の下端が閉鎖端である一例を示すが、少なくとも１つの開口（図示しない）が第２筒体１０３の底面に設けられてもよく、第２筒体１０３の下端が開放端（図示しない）であってもよい。少なくとも１つの不図示の開口が第２筒体１０３の底面に設けられる場合、不図示の開口も回収口１０７を構成する。また、第２筒体１０３の下端が不図示の開放端である場合、不図示の開放端も回収口１０７を構成し、第２筒体１０３の内周面と第１筒体１０２の外周面との間に形成される。第２筒体１０３の軸方向に垂直な不図示の開放端の断面は、環状である。
【００６１】
図９に示すように、排出口１０８は、第２筒体１０３の上端側の開放端であり、第２筒体１０３の上端側の内周面と第１筒体１０２の上端側の外周面との間に形成される。第２筒体１０３の軸方向に垂直な排出口１０８の断面は、環状である。ここでは、第２筒体１０３の上端が開放端である一例を示すが、少なくとも１つの開口を有する蓋部（図示しない）が第２筒体１０３の上端側の開放端に設けられてもよい。この場合、排出口１０８は、不図示の蓋部に形成される少なくとも１つの開口である。
【００６２】
図９に示すように、第２流路１０９は、第２筒体１０３の軸方向に沿って設けられる。第２筒体１０３の軸方向に垂直な第２流路１０９の断面は、環状である。第２流路１０９は、回収口１０７を介して土壌汚染物質回収構造体１の外部から回収されるＶＯＣを矢印Ａ１０２のように第２筒体１０３の上端側に流通させる。そして、第２流路１０９内を第２筒体１０３の上端側に流通したＶＯＣは、排出口１０８を介して土壌汚染物質回収構造体１００の外部に排出される。
【００６３】
また、土壌汚染物質回収構造体１００は、回収口１０７から回収されるＶＯＣやＶＯＣ以外の流体に含まれる異物を除去する異物除去部１１１をさらに具備してもよい。図１１は、異物除去部１１１を具備する土壌汚染物質回収構造体１００を模式的に示す上方斜視図である。図１１に示すように、異物除去部１１１は、土壌汚染物質回収構造体１００の回収口１０７の入口に設けられる。異物除去部１１１は、回収口１０７から第２流路１０９内への異物の侵入を防ぎ、第２流路１０９内への異物の混入を抑制する。
【００６４】
異物除去部１１１は、第２流路１０９内の下端で、第２筒体１０３の内周面と第１筒体１０２の外周面との間に設けられる。第１筒体１０２の軸方向に垂直な異物除去部１１１の断面は、環状である。異物除去部１１１の直径は、第１筒体１０２の直径よりも大きく、第２筒体１０３の直径よりも小さい。
【００６５】
また、土壌汚染物質回収構造体１００は、回収口１０７から回収されるＶＯＣやＶＯＣ以外の流体などの気体成分と液体成分とを分離する気液分離部１１２をさらに具備してもよい。図１２は、気液分離部１１２を具備する土壌汚染物質回収構造体１００を模式的に示す上方斜視図である。図１２に示すように、気液分離部１１２は、土壌汚染物質回収構造体１００の回収口１０７の入口に設けられる。ＶＯＣやＶＯＣ以外の流体の液体成分が回収口１０７から回収される場合、気液分離部１１２は、回収口１０７から回収されるこれらの液体成分と気体成分とを分離し、選択的にこれらの気体成分を第２流路１０９内に流通させる。
【００６６】
気液分離部１１２は、第２流路１０９内の下端で、第２筒体１０３の内周面と第１筒体１０２の外周面との間に設けられる。第１筒体１０２の軸方向に垂直な気液分離部１１２の断面は、環状である。気液分離部１１２の直径は、第１筒体１０２の直径よりも大きく、第２筒体１０３の直径よりも小さい。
【００６７】
以下、第２の実施形態およびその変形例に共通する効果について記載する。第２の実施の形態によれば、第１の実施形態と同様の効果を得ることができる。つまり、土壌汚染物質回収構造体１００をいわゆる二重筒構造にしたことによって、ＶＯＣを蒸発させるための熱媒の供給と、蒸発したＶＯＣの回収とを土壌汚染物質回収構造体１００内で行うことが可能である。そのため、土壌加熱用の筒体とＶＯＣ回収用の筒体とをそれぞれ離間した位置の土壌に挿入することが不要である。土壌汚染物質回収構造体１００および土壌汚染物質回収装置を設置する際の作業量と作業時間が短縮され、よって土壌汚染物質回収装置の設置からＶＯＣ除去、土壌汚染物質回収装置の回収にいたるまでの作業効率が高くなるという効果がある。
【００６８】
さらに、第１の実施の形態と同様に、土壌汚染物質回収構造体は、ＶＯＣの蒸発と回収とを同時に実施することができ、ＶＯＣの回収時間を減少させることができる。
【００６９】
さらに、土壌汚染物質回収構造体１００の構成と土壌汚染物質回収構造体１の構成とを切り替える、つまり、土壌汚染物質回収構造体１００の内筒である第１筒体１０２に熱媒を導入して外筒である第２筒体１０３と第１筒体１０２との間からＶＯＣを排出する構成と、第２筒体１０３と第１筒体１０２との間に熱媒を導入して第１筒体１０２からＶＯＣを排出する構成とを切り替えると、異物に起因する放出口、回収口、異物除去部、気液分離部などの詰まりを除去できる。
【００７０】
（第３の実施の形態）
図１３は、第３の実施の形態の土壌汚染物質回収構造体２００を模式的に示す上方斜視図である。なお、以下に示す実施の形態において、第１の実施の形態の土壌汚染物質回収構造体１の構成と同一の構成部分には同一の符号を付して、重複する説明を省略または簡略する。
【００７１】
第３の実施の形態の土壌汚染物質回収構造体２００において、第１筒体２０２および第１仕切り部２１３の構成が異なる以外は、第１の実施の形態の土壌汚染物質回収構造体１の構成と基本的に同じである。そのため、ここでは、その異なる構成について主に説明する。
【００７２】
図１３に示すように、土壌汚染物質回収構造体２００は、第１筒体２０２の内部を径方向に区分する板状の第１仕切り部２１３を具備する。第１仕切り部２１３は、第１筒体２０２の上端と下端との間を第１筒体２０２の軸方向に沿って延設し、第１筒体２０２内の空間を軸方向に水平に分割する。ここでは、第１仕切り部２１３が第１筒体２０２の中心軸を通る一例を示すが、第１仕切り部２１３は第１筒体２０２の中心軸を通らなくてもよい。
【００７３】
第１筒体２０２は、第１筒体２０２の上端側に設けられ、第１流路２０６の開口部である導入口２０４および第２流路２０９の開口部である排出口２０８を有する。導入口２０４および排出口２０８は、第１仕切り部２１３によって区分されている。導入口２０４は、第１流路２０６に開口し、加熱された気体を発生する熱媒発生器が接続可能である。排出口２０８は、第２流路２０９に開口している。また、第１筒体２０２は、第１筒体２０２の下端側に設けられ、第１流路２０６の開口部である放出口２０５および第２流路２０９の開口部である回収口２０７を有する。放出口２０５および回収口２０７は、第１仕切り部２１３によって区分されている。放出口２０５は、第１流路２０６を構成する第１筒体２０２の壁面のうち土壌に埋設可能な部分に設けられている。回収口２０７は、第２流路２０９を構成する第１筒体２０２の壁面のうち土壌に埋設可能な部分に設けられている。
【００７４】
また、第１筒体２０２は、導入口２０４と放出口２０５とを連結し、第１仕切り部２１３によって区分された空間である第１流路２０６を有する。第１流路２０６は、第１仕切り部２１３と第１筒体２０２の内面で構成されている。また、第１筒体２０２は、回収口２０７と排出口２０８とを連結し、第１仕切り部２１３によって区分された空間である第２流路２０９を有する。第２流路２０９は、第１仕切り部２１３と第１筒体２０２の内面で構成されており、第１流路２０６とは異なる空間である。
【００７５】
導入口２０４および排出口２０８は、第１筒体２０２の上端側の開放端であり、第１仕切り部２１３によって区分される。導入口２０４および排出口２０８は、それぞれ、第１筒体２０２の上端側の内周面と第１仕切り部２１３によって形成される。第１筒体２０２の軸方向に垂直な導入口２０４および排出口２０８の断面は、半円状である。ここでは、第１筒体２０２の上端が開放端である一例を示すが、少なくとも１つの開口を有する蓋部（図示しない）が第１筒体２０２の上端側の開放端に設けられてもよい。この場合、導入口２０４および排出口２０８は、不図示の蓋部に形成される少なくとも１つの開口である。
【００７６】
放出口２０５および回収口２０７は、第１筒体２０２の下端側の側面に形成される。ここでは、放出口２０５および回収口２０７が第１筒体２０２の下端側の側面全周に亘って複数段設けられている一例を示すが、放出口２０５および回収口２０７は１段でもよく、側面の一部に設けられてもよい。
【００７７】
また、第１筒体２０２の下端が閉鎖端である一例を示すが、少なくとも１つの開口（図示しない）が第１筒体２０２の底面に設けられてもよく、第１筒体２０２の下端が開放端（図示しない）であってもよい。少なくとも１つの不図示の開口が第１筒体２０２の底面に設けられる場合、不図示の開口も放出口２０５や回収口２０７を構成する。また、第１筒体２０２の下端が不図示の開放端である場合、不図示の開放端も放出口２０５や回収口２０７を構成し、第１筒体２０２の内周面と第１仕切り部２１３によって形成される。第１筒体２０２の軸方向に垂直な不図示の開放端の断面は、半円状である。
【００７８】
第１流路２０６は、第１筒体２０２の軸方向に沿って設けられる。第１筒体２０２の軸方向に垂直な第１流路２０６の断面は、半円状である。第１流路２０６は、導入口２０４を介して導入される熱媒を矢印Ａ２０１のように第１筒体２０２の下端側に流通させる。そして、第１流路２０６内を第１筒体２０２の下端側に流通した熱媒は、放出口２０５を介して土壌汚染物質回収構造体２００の外部に放出される。
【００７９】
第２流路２０９は、第１筒体２０２の軸方向に沿って設けられる。第１筒体２０２の軸方向に垂直な第２流路２０９の断面は、半円状である。第２流路２０９は、回収口２０７を介して回収されるＶＯＣを矢印Ａ２０２のように第１筒体２０２の上端側に流通させる。そして、第２流路２０９内を第１筒体２０２の上端側に流通したＶＯＣは、排出口２０８を介して土壌汚染物質回収構造体２００の外部に排出される。第１流路２０６と第２流路２０９とは、第１仕切り部２１３によって完全に分離している。
【００８０】
上記したように、第３の実施の形態の土壌汚染物質回収構造体２００によれば、ＶＯＣによって汚染された土壌を第１仕切り部２１３によって区分された放出口２０５から放出した熱媒によって加熱しながら、熱媒の加熱によって蒸発した土壌中のＶＯＣを第１仕切り部２１３によって区分された回収口２０７から回収することができる。そのため、土壌加熱用の筒体とＶＯＣ回収用の筒体とをそれぞれ離間した位置の土壌に挿入することが不要である。土壌汚染物質回収構造体２００および土壌汚染物質回収装置を設置する際の作業量と作業時間が短縮され、よって土壌汚染物質回収装置の設置からＶＯＣ除去、土壌汚染物質回収装置の回収にいたるまでの作業効率が高くなるという効果がある。
【００８１】
さらに、土壌汚染物質回収構造体２００は、熱媒を第１流路２０６内の下端側に流通させて放出口２０５から放出しながら、熱媒と区分して、ＶＯＣを回収口２０７から回収して第２流路２０９内の上端側に流通させることができる。そのため、土壌汚染物質回収構造体２００は、ＶＯＣの蒸発と回収とを同時に実施することができ、ＶＯＣの回収時間を減少することができる。
【００８２】
なお、図１３に示すように、土壌汚染物質回収構造体２００は、第１筒体２０２の右側に第１流路２０６、および第１筒体２０２の左側に第２流路２０９を設ける構成であるが、土壌汚染物質回収構造体２００は、第１筒体２０２の左側に第１流路２０６、および第１筒体２０２の右側に第２流路２０９を設ける構成であってもよい。
【００８３】
また、土壌汚染物質回収構造体２００は、上述した第２筒体３を備えてもよい。土壌汚染物質回収構造体２００が第２筒体３を備える場合、第１仕切り部２１３は第２筒体３の内部を区分してもよいし、区分しなくてもよい。
【００８４】
（第４の実施の形態）
図１４は、第４の実施の形態の土壌汚染物質回収構造体３００を模式的に示す上方斜視図である。なお、以下に示す実施の形態において、第１の実施の形態の土壌汚染物質回収構造体１の構成と同一の構成部分には同一の符号を付して、重複する説明を省略または簡略する。
【００８５】
第４の実施の形態の土壌汚染物質回収構造体３００において、第１筒体３０２、第１仕切り部３１３、および第２仕切り部３１４の構成が異なる以外は、第１の実施の形態の土壌汚染物質回収構造体１の構成と基本的に同じである。そのため、ここでは、その異なる構成について主に説明する。
【００８６】
図１４に示すように、土壌汚染物質回収構造体３００は、第１筒体３０２の内部を径方向に区分する板状の第１仕切り部３１３および第２仕切り部３１４を具備する。第１仕切り部３１３および第２仕切り部３１４は、第１筒体３０２の上端と下端との間を第１筒体３０２の軸方向に沿って延設している。第２仕切り部３１４は、第１仕切り部３１３に対して所定の角度だけ回転して、第１仕切り部３１３と交差している。ここでは、第１仕切り部３１３および第２仕切り部３１４が第１筒体３０２の中心軸を通る一例を示すが、第１仕切り部３１３および第２仕切り部３１４は第１筒体３０２の中心軸を通らなくてもよい。また、第１仕切り部３１３と第２仕切り部３１４とが互いに垂直に交差して延設している一例を示すが、第１仕切り部３１３と第２仕切り部３１４とは垂直以外の角度で交差してもよい。
【００８７】
第１筒体３０２は、第１筒体３０２の上端側に設けられ、第１仕切り部３１３および第２仕切り部３１４によって区分された導入口３０４および排出口３０８を有する。また、第１筒体３０２は、第１筒体３０２の下端側に設けられ、第１仕切り部３１３および第２仕切り部３１４によって区分された放出口３０５および回収口３０７を有する。また、第１筒体３０２は、導入口３０４と放出口３０５とを連結し、第１仕切り部３１３および第２仕切り部３１４によって区分された第１流路３０６を有する。また、第１筒体３０２は、回収口３０７と排出口３０８とを連結し、第１仕切り部３１３および第２仕切り部３１４によって区分された第２流路３０９を有する。
【００８８】
導入口３０４および排出口３０８は、第１筒体３０２の上端側の開放端であり、第１仕切り部３１３および第２仕切り部３１４によって区分される。導入口３０４および排出口３０８は、それぞれ、第１筒体３０２の上端側の内周面と第１仕切り部３１３と第２仕切り部３１４とによって形成される。第１筒体３０２の軸方向に垂直な導入口３０４および排出口３０８の断面は、扇状である。ここでは、第１筒体３０２の上端が開放端である一例を示すが、少なくとも１つの開口を有する蓋部（図示しない）が第１筒体３０２の上端側の開放端に設けられてもよい。この場合、導入口３０４および排出口３０８は、不図示の蓋部に形成される少なくとも１つの開口である。
【００８９】
放出口３０５および回収口３０７は、第１筒体３０２の下端側の側面に形成される。ここでは、放出口３０５および回収口３０７が第１筒体３０２の下端側の側面全周に亘って複数段設けられている一例を示すが、放出口３０５および回収口３０７は１段でもよく、側面の一部に設けられてもよい。
【００９０】
また、第１筒体３０２の下端が閉鎖端である一例を示すが、少なくとも１つの開口（図示しない）が第１筒体３０２の底面に設けられてもよく、第１筒体３０２の下端が開放端（図示しない）であってもよい。少なくとも１つの不図示の開口が第１筒体３０２の底面に設けられる場合、不図示の開口も放出口３０５や回収口３０７を構成する。また、第１筒体３０２の下端が不図示の開放端である場合、不図示の開放端も放出口３０５や回収口３０７を構成し、第１筒体３０２の内周面と第１仕切り部３１３と第２仕切り部３１４とによって形成される。第１筒体３０２の軸方向に垂直な不図示の開放端の断面は、扇状である。
【００９１】
第１流路３０６は、第１筒体３０２の軸方向に沿って設けられる。第１筒体３０２の軸方向に垂直な第１流路３０６の断面は、扇状である。第１流路３０６は、導入口３０４を介して導入される熱媒を矢印Ａ３０１のように第１筒体３０２の下端側に流通させる。そして、第１流路３０６内を第１筒体３０２の下端側に流通した熱媒は、放出口３０５を介して土壌汚染物質回収構造体３００の外部に放出される。
【００９２】
第２流路３０９は、第１筒体３０２の軸方向に沿って設けられる。第１筒体３０２の軸方向に垂直な第２流路３０９の断面は、扇状である。第２流路３０９は、回収口３０７を介して回収されるＶＯＣを矢印Ａ３０２のように第１筒体３０２の上端側に流通させる。そして、第２流路３０９内を第１筒体３０２の上端側に流通したＶＯＣは、排出口３０８を介して土壌汚染物質回収構造体３００の外部に排出される。第１流路３０６と第２流路３０９とは、第１仕切り部３１３および第２仕切り部３１４によって完全に分離している。
【００９３】
上記したように、第４の実施の形態の土壌汚染物質回収構造体３００によれば、ＶＯＣによって汚染された土壌を第１仕切り部３１３および第２仕切り部３１４によって区分された放出口３０５から放出した熱媒によって加熱しながら、熱媒の加熱によって蒸発した土壌中のＶＯＣを第１仕切り部３１３および第２仕切り部３１４によって区分された回収口３０７から回収することができる。そのため、土壌加熱用の筒体とＶＯＣ回収用の筒体とをそれぞれ離間した位置の土壌に挿入することが不要である。土壌汚染物質回収構造体３００および土壌汚染物質回収装置を設置する際の作業量と作業時間が短縮され、よって土壌汚染物質回収装置の設置からＶＯＣ除去、土壌汚染物質回収装置の回収にいたるまでの作業効率が高くなるという効果がある。
【００９４】
さらに、土壌汚染物質回収構造体３００は、熱媒を第１流路３０６内の下端側に流通させて放出口３０５から放出しながら、熱媒と区分して、ＶＯＣを回収口３０７から回収して第２流路３０９内の上端側に流通させることができる。そのため、土壌汚染物質回収構造体３００は、ＶＯＣの蒸発と回収とを同時に実施することができ、ＶＯＣの回収時間を減少することができる。
【００９５】
なお、図１４に示すように、土壌汚染物質回収構造体３００は、第１筒体３０２の周方向に沿って第１流路３０６と第２流路３０９とを交互に設ける構成であるが、土壌汚染物質回収構造体３００は、第１筒体３０２の周方向に沿って第１流路３０６を連続して設ける構成であってもよいし、第２流路３０９を連続して設ける構成であってもよい。
【００９６】
また、土壌汚染物質回収構造体３００は、２つの第１流路３０６および２つの第２流路３０９を有する構成であるが、土壌汚染物質回収構造体３００は、１つの第１流路３０６および３つの第２流路３０９を有する構成であってもよいし、３つの第１流路３０６および１つの第２流路３０９を有する構成であってもよい。例えば土壌汚染物質回収構造体３００が１つの第１流路３０６および３つの第２流路３０９を有する場合、図１４に示す２つのうちの一方の第１流路３０６を第２流路３０９にし、導入口３０４を排出口３０８にし、放出口３０５を回収口３０７にする構成とする。
【００９７】
また、土壌汚染物質回収構造体３００は、第１仕切り部３１３および第２仕切り部３１４に加えて、第１筒体３０２の内部を径方向に区分する１つ以上の仕切り部をさらに具備してもよい。土壌汚染物質回収構造体３００が仕切り部をさらに具備する場合、第１筒体３０２は、第１流路３０６および第２流路３０９に加えて、仕切り部によって形成された１つ以上の流路をさらに有する。
【００９８】
また、土壌汚染物質回収構造体３００は、上述した第２筒体３を備えてもよい。土壌汚染物質回収構造体３００が第２筒体３を備える場合、第１仕切り部３１３や第２仕切り部３１４は第２筒体３の内部を区分してもよいし、区分しなくてもよい。
【００９９】
（第５の実施の形態）
図１５は、第５の実施の形態の土壌汚染物質回収装置６００を模式的に示す概念図である。なお、以下に示す実施の形態において、第１の実施の形態の土壌汚染物質回収装置５００の構成と同一の構成部分には同一の符号を付して、重複する説明を省略または簡略する。
【０１００】
図１５に示すように、土壌汚染物質回収装置６００は、土壌汚染物質回収構造体１と、土壌汚染物質回収構造体１の排出口８から排出されるＶＯＣの気体成分を燃焼分解し、ＶＯＣの燃焼分解で生じた熱媒を土壌汚染物質回収構造体１の導入口４から導入する加熱分解器６５４とを具備する。加熱分解器６５４は、ＶＯＣの触媒燃焼法を利用するものであり、ＶＯＣの燃焼分解で生じた熱媒を土壌５２０中のＶＯＣの蒸発に再利用する。ＶＯＣの燃焼分解で生成される熱媒は、汚染された土壌５２０の中に存在するＶＯＣを土壌５２０中で蒸発させる。
【０１０１】
図１６は、加熱分解器６５４を模式的に示す概略図である。図１６に示すように、加熱分解器６５４は、加熱部６５４ａ、触媒部６５４ｂ、および熱交換部６５４ｃを具備する。加熱部６５４ａは、触媒部６５４ｂでＶＯＣを分解するために、ＶＯＣを所定の温度に加熱する。触媒部６５４ｂは、白金系やパラジウム系などの触媒を充填している。熱交換部６５４ｃは、熱交換器からなる。
【０１０２】
図１５および図１６に示すように、土壌汚染物質回収構造体１の排出口８から排出されるＶＯＣの気体成分は、熱交換部６５４ｃを通過して吸熱し、加熱部６５４ａに導入される。加熱部６５４ａに流入したＶＯＣは、触媒部６５４ｂに収容された触媒によって分解されるために必要な温度に加熱される。加熱部６５４ａで加熱されたＶＯＣは、触媒部６５４ｂに導入され、触媒部６５４ｂ内で触媒燃焼して選択的に分解される。そして、ＶＯＣを分解処理された流体は、熱交換部６５４ｃを通過する際に放熱し、熱媒として土壌汚染物質回収構造体１の導入口４から第１流路６に導入される。ＶＯＣを含む流体よりもＶＯＣを分解処理された流体の方の温度が高いため、熱交換部６５４ｃにおいて、ＶＯＣを含む気体がＶＯＣを分解された流体の熱を奪う。
【０１０３】
また、図１５に示すように、土壌汚染物質回収装置６００は吸引器５５１をさらに具備してもよい。ここでは、吸引器５５１が加熱分解器６５４の直前に設けられる一例を示すが、吸引器５５１は加熱分解器６５４の直後に設けられてもよい。また、ＶＯＣを分解された流体は導入口４から再び流入する前に、図示されない加熱部によって更に加熱される構成としてもよい。
【０１０４】
上記したように、第５の実施の形態の土壌汚染物質回収装置６００によれば、第１の実施形態と同様の効果を得ることができる。さらに、熱交換部６５４ｃにより、ＶＯＣの触媒燃焼で生じた熱を、ＶＯＣが分解される前の気体に与えることができ、加熱部６５４ａで与える熱量を少なくすることができる。また、熱交換部６５４ｃを通過し、まだある程度の熱量を有しているＶＯＣを分解された流体を土壌汚染物質回収構造体１に導入する熱媒として用いるため、ＶＯＣ回収と分解に必要なエネルギを低減させることができる。
【０１０５】
なお、図１５において、土壌汚染物質回収装置６００は土壌汚染物質回収構造体１を具備する構成であるが、土壌汚染物質回収装置６００は土壌汚染物質回収構造体１００，２００，３００のいずれかを具備する構成であってもよい。
【０１０６】
（第６の実施の形態）
図１７は、第６の実施の形態の土壌汚染物質回収装置７００を模式的に示す概念図である。なお、以下に示す実施の形態において、第１の実施の形態の土壌汚染物質回収構造体１の構成と同一の構成部分には同一の符号を付して、重複する説明を省略または簡略する。
【０１０７】
土壌汚染物質回収装置７００は、地下水を含んだ帯水層７２０内の土壌７２０ａに存在するＶＯＣを回収して、土壌７２０ａを浄化する。図１７に示すように、土壌汚染物質回収装置７００は、土壌汚染物質回収構造体１と、第２筒体３内に設けられた揚水器７５７と、排出口８から排出されるＶＯＣの液体成分を蒸発して気体状のＶＯＣを生成する蒸発器７５５とを具備する。揚水器７５７は、矢印Ａ７０４のように回収口７から回収されたＶＯＣの液体成分および気体成分を含む流体を第２流路９内で矢印Ａ２のように揚水する。排出口８に接続された蒸発器７５５は、生成した気体状のＶＯＣを上述した吸着器５５２、不図示の分解器、加熱分解器６５４のいずれかに供給する。蒸発器７５５は、例えばＶＯＣの蒸気圧と水の蒸気圧との違いを利用した曝気処理によって、排出口８から排出された流体からＶＯＣを除去し、気体状のＶＯＣを生成する。
【０１０８】
また、土壌汚染物質回収装置７００は、蒸発器７５５に空気を供給する送風器７５６と、蒸発器７５５でＶＯＣを除去した流体を加熱し、生成した水蒸気を土壌汚染物質回収構造体１の導入口４から導入する熱媒発生器７５０とを具備する。
【０１０９】
土壌汚染物質回収装置７００は帯水層７２０の土壌７２０ａを浄化することから、排出口８から排出される流体は、主に、気体状のＶＯＣや揚水器で汲み上げられた地下水、液体状のＶＯＣからなる。揚水器７５７によって第２流路９の下端から揚水され、排出口８から排出される流体は、蒸発器７５５に導入される。蒸発器７５５に流入した流体は、送風器７５６から蒸発器７５５に供給される空気を利用して曝気処理される。そして、流体に含まれていた液体状のＶＯＣが蒸発されて気体状のＶＯＣとなり、流体からＶＯＣが除去される。蒸発器７５５の曝気処理によって生成された気体状のＶＯＣは、流体に含まれる気体状のＶＯＣと共に、上述した吸着器５５２、不図示の分解器、加熱分解器６５４などに供給されて、適宜処理される。
【０１１０】
蒸発器７５５でＶＯＣを除去した流体は、貯水タンク７５８に導入されて貯水タンク７５８内に貯水されると共に、熱媒発生器７５０に導入されて加熱される。熱媒発生器７５０に導入される流体は、主に地下水である。熱媒発生器７５０は流体を加熱して、水蒸気を生成する。そして、熱媒発生器７５０で生成された水蒸気は、熱媒として土壌汚染物質回収構造体１の導入口から第１流路６に導入される。そして、第１流路６内の熱媒は、土壌汚染物質回収構造体１の下端側から放出口５を介して、矢印Ａ７０３のように土壌７２０ａに放出する。さらに、熱媒発生器７５０で生成された水蒸気は、蒸発器７５５に導入されて、曝気処理にも利用される。
【０１１１】
また、土壌汚染物質回収装置７００は排出口８から気体を吸引するための吸引器（図示しない）をさらに具備してもよい。不図示の吸引器は、上述した吸引器と同様の構成を有する。
【０１１２】
上記したように、第６の実施の形態の土壌汚染物質回収装置７００によれば、除染対象の土壌が帯水層であっても処理可能であり、かつ、第１の実施形態と同様の効果を得ることができる。
【０１１３】
なお、土壌汚染物質回収装置７００は土壌汚染物質回収構造体１を具備する構成であるが、土壌汚染物質回収装置７００は土壌汚染物質回収構造体１００，２００，３００のいずれかを具備する構成であってもよい。
【０１１４】
以上説明した少なくとも一つの実施の形態によれば、従来のような複数の筒体を土壌に挿入せずに、ＶＯＣで汚染された土壌から、加熱によって蒸発したＶＯＣを効率的に回収することができる。
【０１１５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１１６】
１，１００，２００，３００…土壌汚染物質回収構造体、２，１０２，２０２，３０２…第１筒体、３，１０３…第２筒体、４，１０４，２０４，３０４…導入口、５，１０５，２０５，３０５…放出口、６，１０６，２０６，３０６…第１流路、７，１０７，２０７，３０７…回収口、８，１０８，２０８，３０８…排出口、９，１０９，２０９，３０９…第２流路、１０，１１０…底面、１１，１１１…異物除去部、１２，１１２…気液分離部、２１３，３１３…第１仕切り部、３１４…第２仕切り部、５００，６００，７００…土壌汚染物質回収装置、５２０…土壌、５５０，７５０…熱媒発生器、５５１…吸引器、５５２…吸着器、６５４…加熱分解器、６５４ａ…加熱部、６５４ｂ…触媒部、６５４ｃ…熱交換部、７２０…帯水層、７２０ａ…土壌、７５５…蒸発器、７５６…送風器、７５７…揚水器、７５８…貯水タンク。
【図１】
2017136544.tif 000003
【図２】
2017136544.tif 000004
【図３】
2017136544.tif 000005
【図４】
2017136544.tif 000006
【図５】
2017136544.tif 000007
【図６】
2017136544.tif 000008
【図７】
2017136544.tif 000009
【図８】
2017136544.tif 000010
【図９】
2017136544.tif 000011
【図１０】
2017136544.tif 000012
【図１１】
2017136544.tif 000013
【図１２】
2017136544.tif 000014
【図１３】
2017136544.tif 000015
【図１４】
2017136544.tif 000016
【図１５】
2017136544.tif 000017
【図１６】
2017136544.tif 000018
【図１７】
2017136544.tif 000019